(57)【要約】      （修正有）【課題】液肥等を用いず水溶液のみで簡単に栄養価の高い発芽ニンニクを、約４〜６日で食せることができる簡易水耕栽培装置を提供する。【解決手段】浮力のある材質で構成された、つまみ付きニンニク植え込み部５に配した十字に切り込んだ切り込み線に、皮を剥いたニンニクを芽が出る方を上にして差し込み、容器７開口部に載置し、つまみ付きニンニク植え込み部５のスポンジ状板が水溶液６に浸るまで水溶液６を入れ、通気口e1〜e2を備えた成長を促進する温室用の蓋８を、容器７の開口部にかぶせる構造とした。【選択図】図７
2018093856.tif 000002
【特許請求の範囲】
【請求項１】
ニンニクの球根を、水溶液を入れた容器に浮かべ、短期間で栄養価の高い発芽ニンニクを作る簡易装置であって、ニンニクの球根の一片が挟み込み係止できるよう、収縮性と吸水性に富んだ浮力の有る軟性なスポンジ状の板に、丸穴と十字切り込み線で構成されたニンニク植え込み部を数か所配し、該スポンジ状の板両端部に差し込み口を設け、前記スポンジ状の板と同形状で硬質な素材で、前記スポンジ状の板のたわみ防止用の補強材とする、大半をくり抜いてフレーム状とした固定枠二枚とで構成され、該固定枠の両端部には、差し込み口を配し、前記スポンジ状の板両端部に設けた差し込み口と、前記固定枠の両端部に設けた差し込み口が重なり合うよう、前記固定枠を前記スポンジ状の板の両面に固着させるとニンニク植え込み部が構成され、さらに、一枚の板状で、差し込み部を備えたつまみ部で構成され、前記ニンニク植え込み部両端部に設けた差し込み口に、前記つまみ部に設けた差し込み部を差し込むと、つまみ部を備えたことを特徴とするつまみ付きニンニク植え込み部。
【請求項２】
請求項１記載のつまみ付きニンニク植え込み部を、水溶液の入った容器開口部に載置し、さらに、通気口を設けた蓋で蓋をする構造としたことを特徴とする請求項１に記載する簡易発芽ニンニク水耕栽培装置。
【発明の詳細な説明】
【技術分野】
【０００１】
本発明は、液肥や大掛かりな設備を用いず水溶液のみで簡単に栄養価の高い発芽ニンニクを、約４〜６日で食せることができる簡易発芽ニンニク水耕栽培装置に関するものである。
【背景技術】
【０００２】
従来から、水耕栽培装置に関する装置は提供されている。
【先行技術文献】
【特許文献】
【０００３】
【特許文献１】特開２０１１−０３０４７７
【発明の概要】
【発明が解決しようとする課題】
【０００４】
簡易発芽ニンニク水耕栽培装置の同類のものが無いため、一例として特許文献１を記載する。発芽ニンニクの水耕栽培には、従来から、大掛かりな設備を伴い、ビニールハウスの中でニンニクを植え込んだ棚の下に、大きな水槽を備え、栄養液を混ぜた水をモーターで循環させたり、光源を用いたりして約２〜３週間をかけて発芽させる方法が主流であり、発芽ニンニクの市販価格も他の野菜に比べ高価である。本発明は、手軽で簡単な装置を用い、水溶液だけで食せるまでにかかる期間を約４〜６日で発芽させ食せる装置を提供することを本発明の目的とするものである。
【課題を解決するための手段】
【０００５】
次に、上記課題を解決するために、その手段を説明する。
【０００６】
本発明の請求項１は、ニンニクの球根を、水溶液を入れた容器に浮かべ、短期間で栄養価の高い発芽ニンニクを作る簡易装置であって、ニンニクの球根の一片が挟み込み係止できるよう、収縮性と吸水性に富んだ浮力の有る軟性なスポンジ状の板に、丸穴と十字切り込み線で構成されたニンニク植え込み部を数か所配し、該スポンジ状の板両端部に差し込み口を設け、前記スポンジ状の板と同形状で硬質な素材で、前記スポンジ状の板のたわみ防止用の補強材とする、大半をくり抜いてフレーム状とした固定枠二枚とで構成され、該固定枠の両端部には、差し込み口を配し、前記スポンジ状の板両端部に設けた差し込み口と、前記固定枠の両端部に設けた差し込み口が重なり合うよう、前記固定枠を前記スポンジ状の板の両面に固着させるとニンニク植え込み部
が構成され、さらに、一枚の板状で、差し込み部を備えたつまみ部で構成され、前記ニンニク植え込み部両端部に設けた差し込み口に、前記つまみ部に設けた差し込み部を差し込むと、つまみ部を備えたことを特徴とするつまみ付きニンニク植え込み部。
【０００７】
本発明の請求項２は、請求項１記載のつまみ付きニンニク植え込み部を、水溶液の入った容器開口部に載置し、さらに、通気口を設けた蓋で蓋をする構造としたことを特徴とする。
【発明の効果】
【０００８】
本発明は以上のように構成されているので、以下に記載される効果を奏す。
【０００９】
ニンニクは、発芽させることでニンニク自体を食べるより、栄養価が数倍高まるのと、食べた後の匂いが無い。一般的にスプラウド野菜として高値で販売されている。
【００１０】
大掛かりな設備を持たず、液肥等を全く使用せず、水道水のみで、ニンニクを植え込み、後は放置しておくだけで４日〜６日で発芽し、栄養価の高い発芽ニンニクが食せ、また、安価で栽培できる。
【００１１】
ニンニク植え込み部をスポンジ状の板に丸穴を設け、丸穴の中心点から十字で切り込み線を入れたことで、ニンニクを植え込むことが容易になり、また、ニンニク１片の大きさが異なるものであっても、スポンジの弾力性と収縮性によって、水溶液の入った容器の中に落下することなく、大小問わず係止することができる。
【００１２】
ニンニク植え込み部をスポンジ状の板で制作していることで、ニンニクを植え込んだ時、スポンジに含んだ水分が直接ニンニクに触れることで発育が早くなる。
【００１３】
ニンニク植え込み部につまみを付けることで、容器からの脱着が容易になる。
【００１４】
つまみ付きニンニク植え込み部は水に浮き、水溶液を入れる容器のサイズ、形等を限定することなく、つまみ付きニンニク植え込み部が入る大きさであれば栽培が可能である。
【００１５】
水溶液を入れる容器の開口部に、通気口を備えた蓋をかぶせることで、蓋をかぶせない場合と比べ、ニンニクの発芽が１日位早まる効果が有る。
【００１６】
本発明の製品は、主に一般家庭で用いて安価で発芽ニンニクを栽培するものであるが業務用としてレストランや居酒屋等の店内で場所や手間をかけずに栽培をすることができ、安価でお客様に提供できる。
【００１７】
図面で示す、本発明の簡易発芽ニンニク水耕栽培装置の植え込み部の数は４個と示しているが、あくまでも一例であり、４個に限定するものでは無く、ニンニク植え込み個数は無限に制作することが可能である。
【００１８】
図面で示す、本発明の簡易発芽ニンニク水耕栽培装置の形状であるが、円形及び四角形状に限定するものでは無く、あらゆる形状で制作することができる。
【００１９】
発芽ニンニクの市場価格は、１本当たり平均約５０円位で販売をされており、本発明の簡易発芽ニンニク水耕栽培を使用すれば１本当たり約３円とかなり安くなる。
【００２０】
装置が簡単構造のため、安価で提供できる。
【００２１】
本発明の簡易発芽ニンニク水耕栽培装置は、一般家庭での使用はもちろんのこと、業務用としての利用も可能であり、従来のような大掛かりな装置で多額の設備投資を必要とする水耕栽培装置が、本発明品を使用すれば従来の二十分の一程度の投資金額で済、生産者の収益性が上がる。また、水溶液のみで栽栽培ができるため、ランニングコストも抑えられる。
【図面の簡単な説明】
【００２２】
【図１】ニンニクを差し込むスポンジ状板の上面図。
【図２】固定枠の上面図。
【図３】スポンジ状板に固定枠を固着したニンニク植え込み部の上面図。
【図４】つまみ部の正面図。
【図５】つまみ部を装着したニンニク植え込み部の正面図。
【図６】つまみ部を装着したニンニク植え込み部の斜視図。
【図７】簡易発芽ニンニク水耕栽培装置の斜視図。
【図８】ニンニク植え込み部にニンニクを差し込んだ斜視図。
【図９】簡易発芽ニンニク水耕栽培装置でニンニクを発芽させている斜視図。
【図１０】発芽させたニンニクの斜視図。
【図１１】形状の異なるニンニクを差し込むスポンジ状板の上面図。
【図１２】固定枠の上面図。
【図１３】スポンジ状板に固定枠を固着したニンニク植え込み部の上面図。
【図１４】つまみ部の正面図。
【図１５】つまみ部を装着したニンニク植え込み部の正面図。
【発明を実施するための形態】
【００２３】
次は、この発明の実施の形態について説明する。
【００２４】
図１の構成を説明する。収縮性と吸水性に富んだ浮力の有る軟性なスポンジ状板１にニンニクf1〜f4を差し込み係止できるよう、丸穴g1〜g4に十字に切り込んだ切り込み線a1〜a4を数か所設け、前記スポンジ状板の両端部に差し込み口b1〜b2を設けた構造としたものである。
【００２５】
図２の構成を説明する。スポンジ状板１と同形状の硬質な素材で、スポンジ状板１のたわみ防止用の補強材であり、大半をくり抜きフレーム状とした固定枠２が２枚で構成され、該固定枠２の両端部には差し込み口c1〜c2を設けた構造としたものである。
【００２６】
図３の構成を説明する。スポンジ状板１に施した丸穴g1〜g4に十字に切り込んだ切り込み線a1〜a4に固定枠２が重ならないよう、さらに、スポンジ状板１に施した差し込み口b1〜b2と、固定枠２に施した差し込み口c1〜c2が重なり合うよう、スポンジ状板１の表面、裏面に、固定枠２を固着させた構造としたものがニンニク植え込み部３である。
【００２７】
図４の構成を説明する。ニンニク植え込み部３に装着するつまみ部４であって、１枚の板状から成り、前記ニンニク植え込み部３に設けた差し込み口に差し込み固定
固定できるよう、差し込み部d1〜d2を設けた構造としたものである。
【００２８】
図５の構成を説明する。ニンニク植え込み部３につまみ部４を装着したつまみ付きニンニク植え込み部５である。
【００２９】
図６の構成を説明する。前記図５で示したつまみ付きニンニク植え込み部５の斜視図である。
【００３０】
図７の構成を説明する。水溶液６を入れた容器７開口部に、つまみ付きニンニク植え込み部５を載置し、さらに、温室効果を得るために通気口e1〜e2を配した蓋８で、容器７の上部開口部にかぶせる構造としたものである。
【００３１】
図８の構成を説明する。つまみ付きニンニク植え込み部５の十字に切り込んだ切り込み線a1〜a4に,皮を剥いたニンニクf1〜f4を挟み込んだ状態を示したものである。
【００３２】
図９の構成を説明する。容器７開口部につまみ付きニンニク植え込み部５を載置し、つまみ付きニンニク植え込み部５のスポンジ状でできた部分まで水溶液６を入れ、ニンニクf1〜f4の根の部分が水に浸るようにし、容器７開口部に通気口e1〜e2を備えた蓋８をかぶせた構造としたものが簡易発芽ニンニク水耕栽培装置である。
【００３３】
図１０の構成を説明する。簡易発芽ニンニク水耕栽培装置で栽培した発芽ニンニク９である。
【００３４】
図１１の構成を説明する。図１から図９で示した簡易発芽ニンニク水耕栽培装置の形状は円形での制作の一例であり、円形に限定するものでは無い。図１１〜図１５に示す図は、四角形状の制作の一例を示すものであり、図１〜図９に示す形状とは異なるが、構造上は同じであるため説明を省く。
【符号の説明】
【００３５】
１             スポンジ状板
２             固定枠
３             ニンニク植え込み部
４             つまみ部
５             つまみ付きニンニク植え込み部
６             水溶液
７             容器
８             蓋
９             発芽ニンニク
a1              十字切り込み線
a2              十字切り込み線
a3              十字切り込み線
a4              十字切り込み線
b1              差し込み口
b2              差し込み口
c1              差し込み口
c2              差し込み口
d1              差し込み部
d2              差し込み部
e1              通気口
e2              通気口
f1              ニンニク
f2              ニンニク
f3              ニンニク
f4              ニンニク
g1              丸穴
g2              丸穴
g3              丸穴
g4              丸穴
【図１】
2018093856.tif 000003
【図２】
2018093856.tif 000004
【図３】
2018093856.tif 000005
【図４】
2018093856.tif 000006
【図５】
2018093856.tif 000007
【図６】
2018093856.tif 000008
【図７】
2018093856.tif 000009
【図８】
2018093856.tif 000010
【図９】
2018093856.tif 000011
【図１０】
2018093856.tif 000012
【図１１】
2018093856.tif 000013
【図１２】
2018093856.tif 000014
【図１３】
2018093856.tif 000015
【図１４】
2018093856.tif 000016
【図１５】
2018093856.tif 000017
【手続補正書】
【提出日】平成30年1月31日(2018.1.31)
【手続補正１】
【補正対象書類名】特許請求の範囲
【補正対象項目名】全文
【補正方法】変更
【補正の内容】
【特許請求の範囲】
【請求項１】
ニンニクの球根を、水溶液を入れた容器に浮かべ、短期間で栄養価の高い発芽ニンニクを作る簡易装置であって、ニンニクの球根の一片が挟み込み係止できるよう、収縮性と吸水性に富んだ浮力の有る軟性なスポンジ状の板に、丸穴と十字切り込み線で構成されたニンニク植え込み部を数か所配し、該スポンジ状の板両端部に差し込み口を設け、前記スポンジ状の板と同形状で硬質な素材で、前記スポンジ状の板のたわみ防止用の補強材とする、大半をくり抜いてフレーム状とした固定枠二枚とで構成され、該固定枠の両端部には、差し込み口を配し、前記スポンジ状の板両端部に設けた差し込み口と、前記固定枠の両端部に設けた差し込み口が重なり合うよう、前記固定枠を前記スポンジ状の板の両面に固着させるとニンニク植え込み部が構成され、さらに、一枚の板状で、差し込み部を備えたつまみ部で構成され、前記ニンニク植え込み部両端部に設けた差し込み口に、前記つまみ部に設けた差し込み部を差し込むことを特徴とする発芽ニンニクを作る簡易装置。
【請求項２】
請求項１記載の発芽ニンニクを作る簡易装置を、水溶液の入った容器開口部に載置し、さらに、通気口を設けた蓋で蓋をする構造としたことを特徴とする簡易発芽ニンニク水耕栽培装置。
【手続補正２】
【補正対象書類名】明細書
【補正対象項目名】０００６
【補正方法】変更
【補正の内容】
【０００６】
本発明の請求項１は、ニンニクの球根を、水溶液を入れた容器に浮かべ、短期間で栄養価の高い発芽ニンニクを作る簡易装置であって、ニンニクの球根の一片が挟み込み係止できるよう、収縮性と吸水性に富んだ浮力の有る軟性なスポンジ状の板に、丸穴と十字切り込み線で構成されたニンニク植え込み部を数か所配し、該スポンジ状の板両端部に差し込み口を設け、前記スポンジ状の板と同形状で硬質な素材で、前記スポンジ状の板のたわみ防止用の補強材とする、大半をくり抜いてフレーム状とした固定枠二枚とで構成され、該固定枠の両端部には、差し込み口を配し、前記スポンジ状の板両端部に設けた差し込み口と、前記固定枠の両端部に設けた差し込み口が重なり合うよう、前記固定枠を前記スポンジ状の板の両面に固着させるとニンニク植え込み部が構成され、さらに、一枚の板状で、差し込み部を備えたつまみ部で構成され、前記ニンニク植え込み部両端部に設けた差し込み口に、前記つまみ部に設けた差し込み部を差し込むことを特徴とする発芽ニンニクを作る簡易装置。
【手続補正３】
【補正対象書類名】明細書
【補正対象項目名】０００７
【補正方法】変更
【補正の内容】
【０００７】
本発明の請求項２は、請求項１記載の発芽ニンニクを作る簡易装置を、水溶液の入った容器開口部に載置し、さらに、通気口を設けた蓋で蓋をする構造としたことを特徴とする。